(57)【要約】【課題】  ０〜１０までの数字を用いる場合に、特定の数字については複数種類の数字として区別可能な数字処理装置を提供する。【解決手段】  ０〜１０の数字を指定する入力手段６と、数字の１〜４を表す第１〜第４数字部１〜４からなる数字特定部７とを備え、指定された数字を前記第１〜第４数字部１〜４の組合せにより特定し、特定された数字を使用する数字適用部８とを有する。【選択図】        図１
2007048164.tif 000002
【特許請求の範囲】
【請求項１】
０〜１０の数字を指定する入力手段と、数字の１〜４を表す第１〜第４数字部とを備え、指定された数字を前記第１〜第４数字部の組合せにより特定することを特徴とする０〜１０までの数字処理装置。
【請求項２】
前記第１〜第４数字部は、４重の同心円からなり、第２〜第４数字部の各円はそれぞれ２〜４分割された分割エレメントで形成されたことを特徴とする請求項１に記載の０〜１０までの数字処理装置。
【請求項３】
前記第１〜第４数字部は、４列の平行な直線からなり、第２〜第４数字部の各列はそれぞれ２〜４分割された分割エレメントで形成されたことを特徴とする請求項１に記載の０〜１０までの数字処理装置。
【発明の詳細な説明】
【技術分野】
【０００１】
本発明は、０〜１０までの数字処理装置に関する。
【背景技術】
【０００２】
例えば物品や人物を特定するＩＤ番号は、複数桁の数字からなり、番号により物品や人物を照合する。この場合各桁の数字がさらに分別できれば、同じ数字であっても、特定できる範囲が広がる。したがって、同じＩＤ番号であっても、数字の選定の仕方によって、異なるＩＤとすることができ、セキュリティ機能が高まる。
【発明の開示】
【発明が解決しようとする課題】
【０００３】
本発明は上記の点を考慮したものであり、０〜１０までの数字を用いる場合に、特定の数字については複数種類の数字として区別可能な数字処理装置の提供を目的とする。
【課題を解決するための手段】
【０００４】
請求項１の発明は、０〜１０の数字を指定する入力手段と、数字の１〜４を表す第１〜第４数字部とを備え、指定された数字を前記第１〜第４数字部の組合せにより特定することを特徴とする０〜１０までの数字処理装置を提供する。
【０００５】
請求項２の発明は、請求項１の発明において、前記第１〜第４数字部は、４重の同心円からなり、第２〜第４数字部の各円はそれぞれ２〜４分割された分割エレメントで形成されたことを特徴とする。
【０００６】
請求項３の発明は、請求項１の発明において、前記第１〜第４数字部は、４列の平行な直線からなり、第２〜第４数字部の各列はそれぞれ２〜４分割された分割エレメントで形成されたことを特徴とする。
【発明の効果】
【０００７】
請求項１の発明によれば、１〜４を表す第１〜第４数字部を組合せて１〜１０の数字を表すため、同じ数字であっても複数の組合せが可能な数字があり、数字で特定できる範囲が広がる。
【０００８】
請求項２の発明によれば、第１〜第４数字部を４重の同心円で構成し、第２〜第４数字部の各円をそれぞれ２〜４分割した分割エレメントで形成することにより、使用すべき数字が、分割エレメントの総和で表されるため、視覚により容易に識別可能になる。
【０００９】
請求項３の発明によれば、第１〜第４数字部を４列の直線で構成し、第２〜第４数字部の各直線の列をそれぞれ２〜４分割した分割エレメントで形成することにより、使用すべき数字が、分割エレメントの総和で表されるため、視覚により容易に識別可能になる。
【発明を実施するための最良の形態】
【００１０】
図１は、本発明の実施例の構成図である。
この数字処理装置５は、１〜１０までのいずれかの数字を入力する数字入力部６と、１〜４の数字に対応する第１〜第４数字部１〜４からなる数字特定部７と、特定された数字を適用する数字適用部８とにより構成される。
【００１１】
数字入力部６は、使用する数字を指定するとともに、その数字が１〜４の数字の和となる組合せを指定する。例えば、数字が５であれば、（１＋４）又は（２＋３）のいずれかである。
【００１２】
数字特定部７は、指定された数字を、第１〜第４数字部の組合せによって特定する。これにより、同じ数字５であっても、（１＋４）と（２＋３）の２種類に分別される。
【００１３】
数字適用部８は、特定された数字を適用する。適用例としては、数字を表示する数字表示装置として使用する例、あるいは特定された数字を用いてＩＤ番号を設定するＩＤ装置として使用する例などがある。
【００１４】
図２は、図１の数字処理装置による０〜１０までの数字の使用状態を示す。
図示したように、０〜１０までの各数字は、図の二重丸で示すように、それぞれ第１〜第４表示部１〜４を選択的に使用して表される。これにより各数字が第１〜第４数字部の組合せにより表される。例えば数字の２は、第２数字部２のみを用いて表される。数字の３〜７については、図の（ｉ）（ｉｉ）で示すように、いずれも２通りの組合せ方法がある。
【００１５】
このような数字部１〜４の組合せにより、０〜１０の数字を特定し、この特定された数字を表示したり、あるいはＩＤ番号として用いる。例えば数字の５を指定した場合、これを表示する場合に、（ｉ）で示すように、第１数字部１と第４数字部４を点灯させて表示する方法と、（ｉｉ）で示すように、第２数字部２と第３数字部３を点灯させて表示する方法がある。これら２つの表示方法のいずれかを指定して数字の５を表示する。これにより、同じ数字の５を表示するときに２つの表示方法が得られ、それぞれ区別して使用することができる。
【００１６】
ＩＤ番号として用いる場合には、同じ数字の５をＩＤ番号としても、２種類の５があるため、いずれかの５を指定することにより、セキュリティ機能が向上する。
【００１７】
図３は、本発明の数字処理装置の第１〜第４数字部の別の実施例の説明図である。この例では、（Ａ）に示すように、第１〜第４数字部１〜４は、４重の同心円からなる。第２数字部２は２分割され、２つの分割エレメント２−１，２−２により形成される。第３数字部３は３分割され、３つの分割エレメント３−１，３−２，３−３により形成される。第４数字部４は４分割され、４つの分割エレメント４−１，４−２，４−３，４−４により形成される。
【００１８】
（Ｂ）は使用例として数字５を表す方法を示す。（ｉ）は第１数字部１と第４数字部の４つの分割エレメント４−１〜４−４を用いる方法であり、（ｉｉ）は第２数字部の２つの分割エレメント２−１，２−２と第３数字部の３つの分割エレメント３−１〜３−３を用いる方法である。いずれの場合も使用する分割エレメントの総和は５である。
【００１９】
図４は、本発明の数字処理装置の第１〜第４数字部のさらに別の実施例の説明図である。この例では、（Ａ）に示すように、第１〜第４数字部１〜４は、４列の平行な直線部からなる。第２数字部２の直線の列は２分割され、２つの分割エレメント２−１，２−２により形成される。第３数字部３の直線の列は３分割され、３つの分割エレメント３−１，３−２，３−３により形成される。第４数字部４の直線の列は４分割され、４つの分割エレメント４−１，４−２，４−３，４−４により形成される。
【００２０】
（Ｂ）は使用例として数字５を表す方法を示す。（ｉ）は第１数字部１と第４数字部の４つの分割エレメント４−１〜４−４を用いる方法であり、（ｉｉ）は第２数字部の２つの分割エレメント２−１，２−２と第３数字部の３つの分割エレメント３−１〜３−３を用いる方法である。いずれの場合も使用する分割エレメントの総和は５である。
【００２１】
なお、上記実施例では１〜４の数字の和により指定された数字を特定したが、指定された数字を１０から差し引いた数字を１〜４の数字の組合せで表してもよい。例えば、１を表す場合に、図２の［１］のように表す代わりに、［９］のように表してもよい。また、図３及び図４において、各数字部２〜４の同心円及び直線の列を２〜４分割したが、分割することなく連続した４重の同心円又は直線により各数字部を形成してもよい。
【産業上の利用可能性】
【００２２】
本発明は、数字表示装置あるいは数字を用いて物品や人物を照合するＩＤ装置として利用できる。
【図面の簡単な説明】
【００２３】
【図１】本発明に係る数字処理装置の構成説明図。
【図２】図１の数字処理装置の使用例の説明図。
【図３】本発明の数字処理装置の第１〜第４数字部の別の例の説明図。
【図４】本発明の数字処理装置の第１〜第４数字部のさらに別の例の説明図。
【符号の説明】
【００２４】
１：第１数字部、２：第２数字部、３：第３数字部、４：第４数字部、５：数字処理装置、６：数字入力部、７：数字特定部、８：数字適用部、２−１，２−２，３−１，３−２，３−３，４−１，４−２，４−３，４−４：分割エレメント。
【図１】
2007048164.tif 000003
【図２】
2007048164.tif 000004
【図３】
2007048164.tif 000005
【図４】
2007048164.tif 000006